(57)【要約】【課題】  「Ｂ−ＣＡＳカード」等のように貨幣と同様の価値を有する一定の識別情報カードを使用する電子機器において、その識別情報カードが素手によって簡単に取り外すことができる場合には盗難のおそれがある。【解決手段】  識別情報カード１０が出し入れされるスロット状のカード挿入口１５を有する外装ケース６と、カード挿入口１５から挿入された識別情報カード１０の抜き取りを防止するカードホルダ３０と、を備えて構成されている。【選択図】  図７
2005198044.tif 000002
【特許請求の範囲】
【請求項１】
識別情報カードが出し入れされるスロット状のカード挿入口を有する外装ケースと、
前記カード挿入口から挿入された前記識別情報カードの抜き取りを防止するカード抜取防止機構と、を備えたことを特徴とする電子機器。
【請求項２】
前記カード抜取防止機構は、前記カード挿入口に着脱自在に挿入されるカードホルダからなり、
前記カードホルダは、前記カード挿入口に挿入された前記識別情報カードの外端面と略等しいか又は当該外端面より外側に表面が突出するホルダ本体と、前記ホルダ本体の前記識別情報カード外端部の上下に開口される一対の開口部と、前記外装ケースに係止するための可撓性を具えた係止片と、を有し、
前記一対の開口部を撓ませて前記識別情報カードを挟持することにより当該識別情報カードと一緒に前記カードホルダを抜き取り可能としたことを特徴とする請求項１記載の電子機器。
【請求項３】
前記カードホルダの前記ホルダ本体には、前記識別情報カードが挿入されるスリットを設け、前記スリットの上下に上記一対の開口部を開口したことを特徴とする請求項２記載の電子機器。
【請求項４】
前記カードホルダは、可撓性を有する合成樹脂によって形成されていることを特徴とする請求項２記載の電子機器。
【請求項５】
前記カード抜取防止機構は、前記外装ケースに着脱自在に取り付けられ、当該取付時、前記カード挿入口に装着された前記識別情報カードの前面まで張り出して当該識別情報カードの抜き取りを阻止する頭部を有するネジ部材からなることを特徴とする請求項１記載の電子機器。
【請求項６】
前記カード抜取防止機構は、前記外装ケースに取り付けられると共に前記カード挿入口に装着された前記識別情報カードの前面に出没可能とされた抜取防止片と、前記抜取防止片を前記識別情報カードの前面に出没させる操作具と、からなることを特徴とする請求項１記載の電子機器。
【請求項７】
前記カード挿入口は、前記外装ケースに回動自在に支持された開閉蓋によって開閉自在としたことを特徴とする請求項１記載の電子機器。
【発明の詳細な説明】
【技術分野】
【０００１】
本発明は、Ｂ−ＣＡＳカード、Ｃ−ＣＡＳカード、ＩＣカード、キャッシュカード等のように各種の識別情報が記憶された識別情報カードが用いられる電子機器に関し、特に、電子機器に装着された識別情報カードを素手では簡単に取り出すことはできないが、所定の道具を用いることにより電子機器を傷つけることなく識別情報カードを簡単に取り出すことができるカード取出し制限機構に関するものである。
【背景技術】
【０００２】
従来、一般に、この種の識別情報カードが用いられる電子機器としては、例えば、特許文献１に記載されているようなものがある。特許文献１には、電子機器の筐体に形成されている開口部を開閉自在な二重扉の開閉装置を有する電子機器に関するものが記載されている。この二重扉の開閉装置を有する電子機器は、筐体の開口部を開閉自在な二重扉の開閉装置を有する電子機器であり、前記二重扉の開閉装置は、前記筐体の開口部を操作者の操作により開閉自在に閉じるための第１扉であり、前記筐体の開口部を開く際には単独で開くことが可能な前記第１扉と、前記第１扉の内側に配置されて、前記操作者の操作により前記筐体の開口部の一部分を開閉自在に閉じるための第２扉であり、前記第１扉が前記筐体の開口部を開いている状態では単独で前記筐体の開口部の一部分を開閉自在であり、前記第１扉により前記筐体の開口部を閉じる動作に連動して前記筐体の開口部の一部分を閉じる前記第２扉とを備えることを特徴としている。
【０００３】
このような構成を有する二重扉の開閉装置を有する電子機器によれば、前側に位置する扉が閉まっている場合には、後側の扉も必ず閉めることができ、前川の扉が開いている状態では、後側の扉が閉まっている状態を目視で確認することができる、という効果が期待される。
【０００４】
近年、複数の放送事業者やサービス提供事業者に対する視聴契約や会員登録を行うことにより、登録された情報に基づいて登録した者のみが特定の放送番組を見ることができたり、特定のサービスを受けることができる、いわゆる限定視聴システム（ＣＡＳ）が提供されている。例えば、限定視聴システムを用いたデジタル放送では、視聴者が電子商取引（＝Ｔコマース）や商品購入（＝Ｔショッピング）を行ったり、クイズ番組等へリアルタイムに参加する等、ユーザーとのインタラクティブなデータ放送が提供されている。
【０００５】
このようなデジタル放送において、例えば、ＢＳデジタル放送の場合は、まず、ＢＳデジタルチューナとアンテナからなるＢＳ放送用受信機を設置し、無料の放送番組を視聴する場合には設置後すぐに視聴可能となるが、インタラクティブなデータ放送を視聴する場合には、各放送事業者やサービス提供会社等と個別に視聴契約や会員契約を行うことにより視聴可能となる。
【０００６】
例えば、日本衛生放送（株）［ＷＯＷＷＯＷ］、（株）スターチャンネルの場合には、それぞれの放送事業者と個別の視聴契約を行い、（株）ビーエスフジ［ＢＳフジ］と（株）ビーエスアイ［ＢＳ−ｉ］と（株）ビーエス朝日［ＢＳ朝日］の場合には、３社共通の視聴会員登録を行い、ＢＳ（株）ビーエス日本［ＢＳ日本］と（株）ビー・エス・ジャパン［ＢＳジャパン］の場合は、２社共通の会員登録を行うようになっている。
【０００７】
視聴契約の方法は、各放送事業者とも略同様であり、購入したＢＳデジタルチューナに同梱されている「Ｂ−ＣＡＳカード」と呼ばれるデジタル放送を視聴するためのＩＣカードに記録されているカード番号（同カード番号が記載されたハガキやシールの場合もある。）と、住所、氏名、生年月日、年齢、性別、電話／ＦＡＸ番号、Ｅ−mailアドレス、ＴコマースやＴショッピングの料金支払い方法（口座振替／クレジットカード等）及び選択した支払い方法に用いる口座番号、クレジットカード番号等の登録情報を、申込用紙（ハガキ）等に記入して郵送やＦＡＸしたり、所定のＷｅｂサイトや各方法事業者が放送している登録申し込み用のデータ放送（のコンテンツ）を利用して、登録情報を入力する等の方法により契約（登録）が行われている。この契約（登録）の後、その電子機器に付属されている「Ｂ−ＣＡＳカード」の使用が可能となる。
【０００８】
このようにして使用可能とされる「Ｂ−ＣＡＳカード」は、一般に、視聴した時間や受けたサービスの時間等に応じて決定される料金の課金システムに利用されるが、場合によってはフリーパスカードとして使用されることがある。例えば、電気店の店舗や博覧会の会場等において、データ放送の内容を実際に視聴者に見せて視聴契約を勧誘する等の場合である。
【０００９】
この場合、ＢＳ放送用受信機等の電子機器から「Ｂ−ＣＡＳカード」を素手で簡単に取り出せるときには、「Ｂ−ＣＡＳカード」は貨幣と同じ価値を有するため、盗難の恐れが生ずる。そのため、「Ｂ−ＣＡＳカード」がフリーパスカードとして使用される場合等においては、電子機器から「Ｂ−ＣＡＳカード」が容易に取り出せないようにする必要がある。一方、同じ電子機器であっても「Ｂ−ＣＡＳカード」を用いる必要のない場合には、「Ｂ−ＣＡＳカード」のための盗難防止機構（装置）は無用のものであって、製品コストのアップにつながることになる。
【００１０】
その一方、盗難防止機構（装置）を必要とする場合においては、その電子機器がユーザーによって使用されるものであることを考慮すると、一定の条件を満足するものである必要があると考えられる。その条件を挙げると、その１は、「Ｂ−ＣＡＳカード」の着脱時に本体の電子機器を傷つけないこと、その２は、中間ユーザー（商店主等）の取り扱いが容易であること、その３は、最終ユーザー（一般消費者等）が容易に取り外せないこと、である。
【特許文献１】特開２００２−２７３５６号公報
【発明の開示】
【発明が解決しようとする課題】
【００１１】
解決しようとする問題点は、「Ｂ−ＣＡＳカード」等のように貨幣と同様の価値を有する一定の識別情報カードを使用する電子機器において、その識別情報カードが素手によって簡単に取り外すことができる場合には盗難のおそれがある点である。
【課題を解決するための手段】
【００１２】
本発明の電子機器は、識別情報カードが出し入れされるスロット状のカード挿入口を有する外装ケースと、カード挿入口から挿入された識別情報カードの抜き取りを防止するカード抜取防止機構と、を備えたことを最も主要な特徴とする。
【００１３】
本発明の請求項２記載の電子機器は、カード抜取防止機構は、カード挿入口に着脱自在に挿入されるカードホルダからなり、そのカードホルダは、カード挿入口に挿入された識別情報カードの外端面と略等しいか又はその外端面より外側に表面が突出するホルダ本体と、そのホルダ本体の識別情報カード先端部の上下に開口される一対の開口部と、外装ケースに係止するための可撓性を具えた係止片と、を有し、一対の開口部を撓ませて識別情報カードを挟持することにより識別情報カードと一緒にカードホルダを抜き取り可能としたことを特徴としている。
【００１４】
本発明の請求項３記載の電子機器は、カードホルダのホルダ本体には、識別情報カードが挿入されるスリットを設け、そのスリットの上下に一対の開口部を開口したことを特徴としている。
【００１５】
本発明の請求項４記載の電子機器は、カードホルダは、可撓性を有する合成樹脂によって形成されていることを特徴としている。
【００１６】
本発明の請求項５記載の電子機器は、カード抜取防止機構は、外装ケースに着脱自在に取り付けられ、その取付時、カード挿入口に装着された識別情報カードの前面まで張り出してその識別情報カードの抜き取りを阻止する頭部を有するネジ部材からなることを特徴としている。
【００１７】
本発明の請求項６記載の電子機器は、カード抜取防止機構は、外装ケースに取り付けられると共にカード挿入口に装着された識別情報カードの前面に出没可能とされた抜取防止片と、その抜取防止片を識別情報カードの前面に出没させる操作具と、からなることを特徴としている。
【００１８】
本発明の請求項７記載の電子機器は、カード挿入口は、外装ケースに回動自在に支持された開閉蓋によって開閉自在としたことを特徴としている。
【発明の効果】
【００１９】
本発明の電子機器によれば、外装ケースにカード抜取防止機構を装着することにより、カード挿入口に挿入された識別情報カードが簡単に抜き取ることができないようにして、識別情報カードの盗難防止を図ることができる。
【００２０】
本発明の請求項２記載の電子機器によれば、表面部と一対の開口部と係止片とを有するカードホルダでカード抜取防止機構を構成することにより、そのカードホルダをカード挿入口に装着するだけで識別情報カードを簡単に抜き取ることができないようにできると共に、一定の工具を用いて一対の開口部を撓ませて識別情報カードを挟持することにより、そのカードホルダと一緒に識別情報カードを容易に取り出すことができる。
【００２１】
本発明の請求項３記載の電子機器によれば、例えば、ラジオペンチ５０の一対の先端を一対の開口部にそれぞれ挿入した後、ラジオペンチ５０を締め付けてスリットを撓ませて識別情報カードを挟持することにより、そのカードホルダと一緒に識別情報カードを容易に取り出すことができる。
【００２２】
本発明の請求項４記載の電子機器によれば、可撓性を有する合成樹脂でカードホルダを形成することにより、構造が簡単であって安価に製造できると共に、取り付け・取り外し操作の容易なカード抜取防止機構を構成することができる。
【００２３】
本発明の請求項５記載の電子機器によれば、ネジ部材を外装ケースに取り付けるだけでカード挿入口に挿入された識別情報カードが簡単に抜き取ることができないようにできると共に、そのネジ部材を取り外すだけで識別情報カードをカード挿入口から容易に抜き取ることができる。
【００２４】
本発明の請求項６記載の電子機器によれば、抜取防止片と操作具とでカード抜取防止機構を構成することにより、操作具の操作で抜取防止片を識別情報カードの前面に出没させて、識別情報カードの抜き取り操作と、その抜き取り防止操作を自由に制御することができる。
【００２５】
本発明の請求項７記載の電子機器によれば、カード挿入口を開閉蓋で開閉自在に構成することにより、識別情報カードの着脱時以外のときには、開閉蓋でカード挿入口を覆ってホコリの侵入を阻止したり、外観上の見映えを良くしたりすることができる。
【発明を実施するための最良の形態】
【００２６】
識別情報カードを素手によっては簡単に抜き取ることはできないが、一定の工具（道具）を用いるときには容易に識別情報カードを抜き取ることができるようにする、という目的を、簡単な構造であって安価に製造できると共に、取り扱いが容易であって電子機器本体を傷つけるおそれのないカード抜取防止機構によって実現した。
【実施例１】
【００２７】
以下、本発明の実施例を、添付図面を参照して説明する。図１〜図９は本発明の実施の例を示すもので、図１は電子機器の一実施例を示す斜視図、図２はカード挿入口を開閉蓋で閉じた状態の斜視図、図３はカード挿入口を開いた状態の斜視図、図４はカード挿入口の背面図、図５はカード抜取防止機構の第１の実施例を示すカードホルダの斜視図、図６はカード挿入口に識別情報カードを挿入する状態を示す説明図、図７はカード挿入口を開閉蓋で閉じた状態を断面して示す説明図、図８はカードホルダと一緒に識別情報カードを工具で摘まんだ状態を示す説明図、図９はカード抜取防止機構の第２の実施例を断面して示す説明図である。
【００２８】
本発明の第１実施例の全体構成を示す図１は、電子機器の一具体例としてプラズマテレビに適用した例を示すものである。このプラズマテレビ１は、図１に示すように、画像が表示されるディスプレイ部２と、このディスプレイ部２を下方から支持するスタンド部３とから構成されている。ディスプレイ部２には、チャンネルを切り換えるためのチャンネル切換ボタンや音量を切り換えるための音量切換ボタンその他の操作ボタンが取り付けられている。更に、ディスプレイ部２には、スピーカやＢＳチューナその他の必要な装置が内蔵されている。
【００２９】
このプラズマテレビ１には、登録された情報に基づいて登録した者のみが特定の放送番組を見ることができたり、特定のサービスを受けることができる、いわゆる限定視聴システム（ＣＡＳ）に対応した装置が内蔵されている。すなわち、内蔵されたＢＳデジタルチューナに同梱されている「Ｂ−ＣＡＳカード」と呼ばれるデジタル放送を視聴するための識別情報カード（ＩＣカード）が使用可能とされている。ぞのため、ディスプレイ部２の側面には、識別情報カード４が着脱自在に装着されるカード装着部４が設けられている。
【００３０】
カード装着部４は、プラズマディスプレイ５の上下、左右及び背面を囲う外装ケース６の側面部に設けられていて、外装ケース６に回動軸１１で回動自在に取り付けられた外装蓋７によって開閉自在とされている。このカード装着部４は、フレームパネル８と開閉蓋９等から構成されている。フレームパネル８は細長い板状の部材からなり、その長手方向と交差する幅方向両側の長辺には、図２及び図３に示すように、このフレームパネル８を外装ケース６に着脱可能に固定するための適度な可撓性を有する多数の固定片１２が設けられている。このフレームパネル８の長手方向の一側に、開閉蓋９が開閉自在に装着される凹陥部１３が設けられている。
【００３１】
フレームパネル８の凹陥部１３の底面には、開閉蓋９が出し入れされるコ字状の切欠き部１４と、識別情報カード１０が出し入れされるスリット状のカード挿入口１５とが設けられている。切欠き部１４は、凹陥部１３の下辺及び左右の側辺に沿って連続するように形成されており、残された部分の中央やや一側寄りに横方向に延在されたカード挿入口１５が配置されている。カード挿入口１５は、後述するカードホルダを着脱自在に保持可能なように識別情報カード１０の大きさ（長さ及び幅）よりも大きく形成されている。
【００３２】
このカード挿入口１５の長辺側中央部の上下には、指先が入り込むのを許容して識別情報カード１０をつまみ易くするための指先逃げ部１６ａ，１６ｂが設けられている。同様の理由で、凹陥部１３の上辺には、指先の侵入を許容する円弧状に切り欠かれた指先逃げ部１７が設けられている。
【００３３】
また、開閉蓋９は、カード挿入口１５を開閉自在に覆う蓋部９ａと、この蓋部９ａの長手方向両側に連続して形成されたアーム部９ｂ，９ｃとを有している。更に、各アーム部９ｂ，９ｃには、図４に示すように、それぞれ側方に突出する回動軸部１８ａ，１８ｂが設けられている。これらの回動軸部１８ａ，１８ｂを回動自在に軸支するための一対の軸受部２０ａ，２０ｂがフレームパネル８に設けられて居る。更に、各回動軸部１８ａ，１８ｂには、それぞれ捩りコイルバネ２１のコイル部が緩く嵌合されている。これら捩りコイルバネ２１のバネ力によって開閉蓋９が、常時、カード挿入口１４を閉じる方向に付勢されている。
【００３４】
図５は、この実施例に係るカード抜取防止機構の第１の実施例を示すカードホルダの図である。このカードホルダ３０は、カード挿入口１５よりも適宜に大きく形成されたホルダ本体３１と、このホルダ本体３１を外装ケース６に着脱可能に保持する一対の係止片３２，３３とからなり、適当な材質の合成樹脂によって一体に形成されている。カードホルダ３０の材質としては、例えば、ＡＢＳ（アクリロニトリル・ブタジエン・スチレン樹脂）、ＰＯＭ（ポリアセタール）、ポリエチレン（ＰＥ）等のように適当な強さの可撓性を有する合成樹脂が好適であるが、その他の合成樹脂を適用できることは勿論である。
【００３５】
カードホルダ３０のホルダ本体３１には、識別情報カード１０が出し入れされる横長のスリット口３５が設けられている。更に、ホルダ本体３１には、スリット口３５の中央部近傍において当該スリット口３５を挟むように一対の開口部３６，３７が設けられている。一対の開口部３６，３７は、スリット口３５と同方向に延在されていて、一定の工具、例えば、ラジオペンチ５０のつまみ側の各先端部がそれぞれ挿入可能な大きさに設定されている。これら開口部３６，３７の後方に連続するように、前記一対の係止片３２，３３が一体に形成されている。
【００３６】
すなわち、一対の係止片３２，３３は、スリット口３５の幅と同じ隙間をあけて上下に対向するように設けられている。この一対の係止片３２，３３が、フレームパネル８のカード挿入口１５に挿入される。一方の係止片３２の先端部には、カードホルダ３０をフレームパネル８に係合保持するための爪部３２ａが外向きの凸部として設けられている。少なくとも係止片３２には適当な強さの可撓性を持たせ、その係止片３２を撓み変形可能に構成する。なお、この実施例では、一対の係止片３２，３３を設けたが、少なくとも一方の係止片３２があればよく、その係止片３２のみであっても、カードホルダ３０をフレームパネル８に確実に係合保持することができる。
【００３７】
このような構成を有するプラズマテレビ１によれば、次のようにしてカードホルダ３０を使用することにより、「Ｂ−ＣＡＳカード」等の識別情報カード１０がユーザー等によって素手で簡単に抜き取られるのを防止することができ、その識別情報カード１０の盗難防止を図ることができる。
【００３８】
次に、カードホルダ３０の使用方法について説明する。図６は、ケース蓋７と開閉蓋９を共に開いてカード挿入口１５を開放すると共に、そのカード挿入口１５に識別情報カード１０を挿入する状態を示すものである。このとき、開閉蓋９は、捩りコイルバネ２１のバネ力に抗して開放させる。なお、カードホルダ３０は、通常、識別情報カード１０を挿入した後に装着するものであるため、ここではカードホルダ３０を二点鎖線で示している。
【００３９】
次に、図６において、識別情報カード１０をカード挿入口１５に挿入し、所定の深さまで識別情報カード１０を差し込む。これにより、フレームパネル８の背面側に設置される図示しないカード情報読取装置の接続部に、識別情報カード１０の差込側に内蔵された図示しないＩＣチップが電気的に接続される。その結果、識別情報カード１０に予め記録されている識別情報が読み取り可能となり、特定のデジタル放送を視聴することができるようになる。
【００４０】
このとき、二点鎖線で示すカードホルダ３０が無いものとすると、識別情報カード１０の外端部がカード挿入口１５の前方に大きく突出することになるため、その外端部をユーザーが簡単に摘まむことが可能となり、その突出部を摘まんで抜き取ることができる。そこで、カード挿入口１５にカードホルダ３０を装着し、そのカードホルダ３０で識別情報カード１０の外端部を覆い隠すのである。
【００４１】
すなわち、カード挿入口１５の所定深さまで挿入された識別情報カード１０の上から、重ねるようにしてカードホルダ３０を装着する。このとき、カードホルダ３０の一対の係止片３２，３３を、ホルダ本体３１の背面が凹陥部１３の底面に当接するまで差し込むことにより、一方の係止片３２に設けた爪部３２ａがカード挿入口１５を貫通してフレームパネル８の角部に係合される。これにより、カードホルダ３０の抜け出しが防止され、カードホルダ３０がフレームパネル８にしっかりと固定される。
【００４２】
この状態では、図７に示すように、識別情報カード１０の外端面がホルダ本体３１の表面と略同じ位置となるため、ユーザーがその外端面を摘まもうとしてもこれを摘まむことができない。また、ホルダ本体３１は、それ自体が蒲鉾形をなしていて摘み難い形状となっており、しかも、ホルダ本体３１を引っ張っても係止片３２でしっかりと固定されているため、カードホルダ３０と一緒に識別情報カード１０を抜き取ることもできない。
【００４３】
このように識別情報カード１０を所定位置まで差し込んだ後、開閉蓋９を開放することにより、その開閉蓋９は、捩りコイルバネ２１のバネ力によってその回動軸部１８ａ，１８ｂを回動中心として、図６において時計方向に回動される。その結果、開閉蓋９は、図７に示す状態となり、その蓋部９ａによってホルダ本体３１の前面全体が覆われる。そのため、この開閉蓋９によって、ホコリ等がカード挿入口１５から外装ケース６内に入り込むのを防止することができる。その後、外装蓋７を閉じることにより、開閉蓋９も同様に覆い隠すことができる。
【００４４】
このように装着された識別情報カード１０を抜き取る場合には、図８に示すように、一対の開口部３６，３７と共に識別情報カード１０を摘まむことができる一定の工具（道具）を用いることによって簡単に実行することができる。図８に示す実施例は、一定の工具としてラジオペンチ５０を用いたものであり、その一対のつまみ側の先端部をカードホルダ３０の一対の開口部３６，３７にそれぞれ挿入する。その後、にぎり側を握って一対の開口部３６，３７に弾性変形を生じさせ、その変形部分で識別情報カード１０を挟持する。
【００４５】
この状態のままラジオペンチ５０を引っ張ることにより、カードホルダ３０と一緒に識別情報カード１０を抜き取ることができる。しかも、ラジオペンチ５０等のつまみ工具は、比較的どこにでもあるものであって、その操作も簡単であるため、熟練していない一般のユーザーによっても簡単且つ確実に識別情報カード１０を抜き取ることができる。
【００４６】
図９は、本発明の電子機器に係るカード抜取防止機構の第２の実施例を示すものである。この第２の実施例は、カード抜取防止機構としてネジ部材４０を用いたものである。このネジ部材４０は、識別情報カード１０の抜き取りを阻止する円盤状の頭部４１と、この頭部４１の中心部分に設けたネジ軸部４２とから構成されている。このネジ部材４０を着脱自在に取付可能とするため、フレームパネル４４にはネジ穴４５が設けられている。
【００４７】
また、頭部４１のネジ軸部４２と反対側の面の中央部には、工具（道具）の第２の実施例を示す十字形ドライバの先端部が挿入される工具穴４６が設けられている。更に、頭部４１の外周縁は、素手ではつまみ難いように面取り部４７が設けられている。フレームパネル４４のネジ穴４５は、ネジ部材４０の頭部４１の外周部がカード挿入口４８に掛かる位置に設定されている。
【００４８】
このような構成とすることによっても、前述した本願発明の目的を、極めて簡単な構造の部品によって達成することができる。しかも、識別情報カード１０の抜き取りを阻止するための部品がネジ部材４０の１個であるため、装置全体のコストアップを最小限に抑えることができる。更に、ネジ部材４０の回動操作だけで取り付け・取り外し作業を行うことができるため、熟練していない一般のユーザーによっても簡単且つ確実に着脱作業を行うことができる。
【００４９】
なお、図示しないが、カード抜取防止機構は、外装ケース６に取り付けられる抜取防止片とその操作具とで構成することもできる。例えば、カード挿入口の前面に抜取防止片を出没可能に取り付けると共に、その抜取防止片を出没ための操作具を別個独立に設ける。このカード抜取防止機構は、例えば、鍵とその開放具との関係をなすようなものであり、操作具で抜取防止片をカード挿入口の前面に出没させることにより、前述した第２の実施例と同様の効果を得ることができる。
【００５０】
以上説明したが、本発明は前記実施例に限定されるものではなく、例えば、前記実施例では、識別情報カードとして「Ｂ−ＣＡＳカード」を適用した例について説明したが、「Ｃ−ＣＡＳカード」、「ＩＣカード」、「キャッシュカード」、「プリペイドカード」その他の識別及び／又は情報用に使用される各種のカードに適用できるものである。また、前記実施例では、電子機器としてプラズマテレビを適用した例について説明したが、その他の電子機器、例えば、通常のアナログテレビやデジタルテレビ、これらに使用されるＢＳチューナやＣＳチューナ等は勿論のこと、ビデオテープレコーダ、カセットプレーやその他の電子機器に適用できることは勿論である。
【図面の簡単な説明】
【００５１】
【図１】本発明の電子機器の一実施例を示すもので、プラズマテレビの斜視図である。
【図２】本発明の電子機器に係るカード装着部に設けたカード挿入口を開閉蓋で閉じた状態の斜視図である。
【図３】本発明の電子機器に係るカード装着部に設けたカード挿入口を開いた状態の斜視図である。
【図４】本発明の電子機器に係るカード装着部に設けたカード挿入口を背面側から見た説明図である。
【図５】本発明の電子機器に係るカード抜取防止機構の第１の実施例を示すカードホルダの斜視図である。
【図６】本発明の電子機器に係るカード装着部に設けたカード挿入口に識別情報カードを挿入する状態を示す説明図である。
【図７】本発明の電子機器に係るカード装着部に設けたカード挿入口を開閉蓋で閉じた状態を断面して示す説明図である。
【図８】本発明の電子機器に係るカード装着部に設けたカード挿入口に挿入された識別情報カードをカードホルダと一緒に工具で摘まんだ状態を示す説明図である。
【図９】本発明の電子機器に係るカード抜取防止機構の第２の実施例を断面して示す説明図である。
【符号の説明】
【００５２】
１‥プラズマテレビ（電子機器）、  ２‥ディスプレイ部、  ４‥カード装着部、  ６‥外装ケース、  ７‥外装蓋、  ８，４４‥フレームパネル、  ９‥開閉蓋、  １０‥識別情報カード、  １５，４８‥カード挿入口、  ３０‥カードホルダ（カード抜取防止機構）、  ３１‥ホルダ本体、  ３２，３３‥係止片、  ３５‥スリット口、  ３６，３７‥開口部、  ４０‥ネジ部材、  ５０‥ラジオペンチ（工具）
【図１】
2005198044.tif 000003
【図２】
2005198044.tif 000004
【図３】
2005198044.tif 000005
【図４】
2005198044.tif 000006
【図５】
2005198044.tif 000007
【図６】
2005198044.tif 000008
【図７】
2005198044.tif 000009
【図８】
2005198044.tif 000010
【図９】
2005198044.tif 000011